(57)【要約】【課題】累積運転時間の短い順番でデマンド電力が目標デマンド電力になるように空気調和機を設定された制御状態に従い所定時間発停あるいは能力制御することで特定の空気調和機に制御が集中することによる可動部を含む電気部品の消耗を低減することができるものである。【解決手段】累積運転時間演算手段１３で累積運転時間をカウントし、累積運転時間が短い空気調和機からサイクリックにデマンド電力が目標デマンド電力になるように所定時間発停あるいは能力制御する。これによって特定の空気調和機に能力制御が集中することを防止することができるため、可動部を含む電気部品６（６Ａ、・・・、６ｎ）の消耗を低減することができるものである。【選択図】図１
2006132796.tif 000002
【特許請求の範囲】
【請求項１】
電力会社が設置する電力取引用計器からの計量パルス信号を検出するパルス信号検出手段と、前記パルス信号検出手段で検出した計量パルスからデマンド電力を演算するデマンド電力演算手段と、目標デマンド電力を入力する目標デマンド電力入力手段と、複数台の空気調和機の運転状態を検出する運転状態検出手段と、前記空気調和機の累積運転時間を演算する累積運転時間演算手段と、前記累積運転時間から前記空気調和機の能力制御順位を決定する能力制御順位決定手段と、前記空気調和機の能力制御設定を入力する能力制御設定入力手段と、目標デマンド電力となるように前記能力制御設定入力手段で設定された運転状態で所定時間制御する電力調整手段を具備した遠隔制御装置であって、前記電力調整手段が前記デマンド電力演算手段および前記能力制御順位決定手段ならびに前記能力制御設定入力手段の出力に基いて、目標デマンド電力となるようにサイクリックに前記空気調和機の発停あるいは能力制御を行うことを特徴とする遠隔制御装置。
【請求項２】
空気調和機毎の累積サーモＯＮ時間を演算する累積サーモＯＮ時間演算手段を設け、前記累積サーモＯＮ時間から前記空気調和機の能力制御順位を決定することを特徴とする、請求項１記載の遠隔制御装置。
【請求項３】
空気調和機毎の異常回数を演算する異常回数演算手段を設け、前記異常回数から前記空気調和機の能力制御順位を決定することを特徴とする、請求項１記載の遠隔制御装置。
【請求項４】
空気調和機毎の重度異常回数を演算する重度異常回数演算手段と、目標異常回数入力手段を設け、前記重度異常回数が、目標異常回数入力手段で設定された回数を超過した場合、能力制御の対象外とすることを特徴とする、請求項１〜３のいずれかに記載の遠隔制御装置。
【請求項５】
空気調和機毎の異常回数リセット手段を設け、異常回数を０にリセットすることを特徴とする、請求項３〜４に記載の遠隔制御装置。
【請求項６】
空気調和機毎の優先度設定入力手段を設け、設定された優先度によって能力制御する時間を可変できることを特徴とする、請求項１〜５に記載の遠隔制御装置。
【請求項７】
空気調和機毎の累積運転警報時間入力手段と、累積運転時間異常通知手段を設け、累積運転時間が、設定された累積運転警報時間を超過した場合、累積運転時間異常通知手段にて画面上に表示および警報音を鳴らすことを特徴とする、請求項１〜６に記載の遠隔制御装置。
【請求項８】
空気調和機毎の累積サーモＯＮ警報時間入力手段と、累積サーモＯＮ時間異常通知手段を設け、累積サーモＯＮ時間が、設定された累積サーモＯＮ警報時間を超過した場合、累積サーモＯＮ時間異常通知手段にて画面上に表示および警報音を鳴らすことを特徴とする、請求項１〜７に記載の遠隔制御装置。
【請求項９】
空気調和機毎の冷房サイクル運転時間演算手段と、冷房サイクル運転警報時間入力手段と、冷房サイクル運転時間異常通知手段を設け、冷房サイクル運転時間が、設定された冷房サイクル運転警報時間を超過した場合、冷房サイクル運転時間異常通知手段にて画面上に表示および警報音を鳴らすことを特徴とする、請求項１〜８に記載の遠隔制御装置。
【請求項１０】
外部通報手段を設け、空気調和機毎の累積運転時間および累積サーモＯＮ時間ならびに冷房サイクル運転時間が、設定された各警報時間を超過した場合、外部に外部通報手段にて運転時間異常を電子メール通知することを特徴とする、請求項７〜９に記載の遠隔制御装
置。
【発明の詳細な説明】
【技術分野】
【０００１】
本発明は、デマンド電力の遠隔制御装置に関するものである。
【背景技術】
【０００２】
従来、この種の遠隔制御装置では、例えば図１１に記載された遠隔制御装置があった。
【０００３】
図１１において、電力量に対する発信装置付電力量計１０７からのパルス信号を信号線１０９を介して入力するパルス信号入力部１０２と、パルス信号から時限最終時のデマンド電力を予測算出する予測デマンド電力算出手段１０３と、室内温度および設定温度から停止する空気調和機１０８の順番を決定する停止優先検出手段１０４と、電力調整制御手段を決定する電力調整手段１０５と、空気調和機１０８を制御する制御信号出力部１０６とを備えた端末機１０１を設け、端末機１０１は予測デマンド電力算出手段１０３で求められた予測デマンド値が設定デマンド値を超過したとき停止優先検出手段１０４で決定された順番で電力調整手段１０５で決定された制御信号を制御信号出力部１０６から出力し空気調和機１０８の停止制御を行っていた（例えば、特許文献１参照）。
【特許文献１】特開平１０−２０５８５１号公報
【発明の開示】
【発明が解決しようとする課題】
【０００４】
しかしながら、前記従来の構成では、室内温度および設定温度の差に応じて空気調和機１０８の停止する順番を決定していた。
【０００５】
このため室内機１０８の設定温度および設置状況ならびに空調負荷に対する能力等により停止する空気調和機１０８が偏ってしまい、頻繁に停止する空気調和機１０８の可動部を含む電気部品の消耗が早くなってしまう課題を有していた。
【０００６】
また、頻繁に停止する空気調和機１０８が設置された室内の空気環境が損なわれる課題を有していた。
【０００７】
本発明は、前記従来の課題を解決するもので、累積運転時間を監視し、累積運転時間が短い空気調和機からサイクリックにデマンド電力が目標デマンド電力になるように所定時間発停あるいは能力制御することで特定の空気調和機に制御が集中することによる可動部を含む電気部品の消耗を低減する遠隔制御装置を提供することを目的とする。
【課題を解決するための手段】
【０００８】
前記従来の課題を解決するために、本発明の遠隔制御装置は、累積運転時間の短い順番でデマンド電力が目標デマンド電力になるように空気調和機を設定された制御状態に従い所定時間発停あるいは能力制御するものである。
【０００９】
これによって、特定の空気調和機に発停あるいは能力制御が集中することなくデマンド電力制御を行うことができる。
【発明の効果】
【００１０】
本発明の遠隔制御装置は、空気調和機毎の累積運転時間が均等になるように制御を行うことで、特定の空気調和機に発停あるいは能力制御が集中することによる可動部を含む電気部品の消耗を低減することができる。
【発明を実施するための最良の形態】
【００１１】
第１の発明は、電力会社が設置する電力取引用計器からの計量パルス信号を信号線を介して検出するパルス信号検出手段と、パルス信号検出手段で検出した計量パルスからデマンド電力を演算するデマンド電力演算手段と、デマンド電力を削減するために目標とするデマンド電力を入力する目標デマンド電力入力手段と、複数台の空気調和機の運転状態を検出する運転状態検出手段と、前記空気調和機の能力制御設定を入力する能力制御設定入力手段と、前記運転状態検出手段からの出力に基いて前記空気調和機の累積運転時間を演算する累積運転時間演算手段と、累積運転時間から能力制御順位を決定する能力制御順位決定手段と、電力調整手段を具備した遠隔制御装置であって、デマンド電力が目標デマンド電力になるように空気調和機を能力制御設定で設定された制御状態に従い所定時間発停あるいは能力制御する場合の順番を累積運転時間演算手段で演算した累積運転時間の短い順番とするもので、この構成をなすことにより、特定の空気調和機に発停あるいは能力制御が集中することによる可動部を含む電気部品の消耗を低減することができる。
【００１２】
第２の発明は、特に、第１の発明の能力制御順位を累積サーモＯＮ時間の短い順番とすることにより、特定の空気調和機の圧縮機に発停が集中することによる圧縮機の消耗を低減することができる。
【００１３】
第３の発明は、特に、第１の発明の能力制御順位を異常回数の少ない順番とすることにより、空気調和機が異常を検知しているにもかかわらず発停を繰り返すことで生じる電気部品の損傷を低減することができる。
【００１４】
第４の発明は、電力会社が設置する電力取引用計器からの計量パルス信号を信号線を介して検出するパルス信号検出手段と、パルス信号検出手段で検出した計量パルスからデマンド電力を演算するデマンド電力演算手段と、デマンド電力を削減するために目標とするデマンド電力を入力する目標デマンド電力入力手段と、複数台の空気調和機の運転状態を検出する運転状態検出手段と、前記空気調和機の能力制御設定を入力する能力制御設定入力手段と、能力制御順位を決定する能力制御順位決定手段と、前記空気調和機の重度異常回数を演算する重度異常回数演算手段と、目標異常回数入力手段と、電力調整手段を具備した遠隔制御装置であって、特に、第１〜３の発明の電力調整手段が空気調和機毎の重度異常回数が設定された目標異常回数を超過した場合、能力制御の対象外とすることにより、空気調和機が重度の異常を検知しているにもかかわらず発停を繰り返すことで生じる電気部品の損傷を低減することができる。
【００１５】
第５の発明は、異常回数リセット手段を設け、特に、第３〜４の発明の空気調和機の異常回数を０にリセットすることにより、修理および部品交換した空気調和機に対して能力制御が行われないことを防止することができる。
【００１６】
第６の発明は、優先度設定入力手段を設け、特に、第１〜５の発明の能力制御する時間を優先度によって可変することにより、それぞれの使用状況や条件に適した空気調和機の使用電力量低減をすることができる。
【００１７】
第７の発明は、累積運転警報時間入力手段と、累積運転時間異常通知手段を設け、累積運転時間が設定された累積運転警報時間を超過した場合、累積運転時間異常通知手段で累積運転時間異常を画面表示および警報音を鳴らすことにより、特に、室内機の定期点検を促すことができ、未然の故障を防止することができる。
【００１８】
第８の発明は、累積サーモＯＮ警報時間入力手段と、累積サーモＯＮ時間異常通知手段を設け、累積サーモＯＮ時間が設定された累積サーモＯＮ警報時間を超過した場合、累積サーモＯＮ時間異常通知手段で累積サーモＯＮ時間異常を画面表示および警報音を鳴らす
ことにより、特に、圧縮機の定期点検を促すことができ、未然の故障を防止することができる。
【００１９】
第９の発明は、冷房サイクル運転警報時間入力手段と、冷房サイクル運転時間異常通知手段を設け、冷房サイクル運転時間が設定された冷房サイクル運転警報時間を超過した場合、冷房サイクル運転時間異常通知手段で冷房サイクル運転時間異常を画面表示および警報音を鳴らすことにより、特に、室内機のドレンポンプの定期点検を促すことができ、未然の故障および水漏れを防止することができる。
【００２０】
第１０の発明は、外部通報手段を設け、空気調和機毎の累積運転時間および累積サーモＯＮ時間ならびに冷房サイクル運転時間が、設定された各警報時間を超過した場合、外部に外部通報手段にて各運転時間異常を電子メール等で知らせることにより、迅速な空気調和機の定期点検および部品交換等の対応を行うことができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における遠隔制御装置１のブロック図を示すものである。
【００２３】
図１において、遠隔制御装置１は、パルス信号検出手段８、デマンド電力演算手段９、目標デマンド電力入力手段１０、能力制御設定入力手段１１、運転状態検出手段１２、累積運転時間演算手段１３、能力制御順位決定手段１４、電力調整手段１５から構成されている。
【００２４】
パルス信号検出手段８は、電力取引用計器１６から出力される計量パルスを計量パルス信号計測用信号線１７を介して検出する。
【００２５】
デマンド電力演算手段９は、パルス信号検出手段８で検出する計量パルスからデマンド時限毎にデマンド電力を演算する。
【００２６】
目標デマンド電力入力手段１０は、デマンド電力を削減するために目標とするデマンド電力の値を入力する。
【００２７】
能力制御設定入力手段１１は、デマンド電力を削減するために複数台の空気調和機２（２Ａ、・・・、２ｎ）を能力制御するときの制御状態（例：運転停止、送風運転）を入力する。
【００２８】
運転状態検出手段１２は、複数台の空気調和機２（２Ａ、・・・、２ｎ）の現在の運転状態（運転，停止，運転モード，設定温度，設定風量吸い込み温度）を検出する。
【００２９】
累積運転時間演算手段１３は、運転状態検出手段１２で検出した複数台の空気調和機２（２Ａ、・・・、２ｎ）の運転状態を監視し、運転中の場合に運転時間をカウントする。
【００３０】
能力制御順位決定手段１４は、デマンド時限開始時に、累積運転時間演算手段１３でカウントした複数台の空気調和機２（２Ａ、・・・、２ｎ）の累積運転時間から能力制御を行う順番を決定する。
【００３１】
以降この動作を繰り返す。
【００３２】
電力調整手段１５は、目標デマンド電力入力手段１０で入力されたデマンド電力になるように空気調和機制御用信号線７を介して複数台の空気調和機２（２Ａ、・・・、２ｎ）を能力制御設定入力手段１１で設定された制御状態で能力制御順位決定手段１４で決定した順番でサイクリックに所定時間発停あるいは能力制御を行う。
【００３３】
以上のように構成された遠隔制御装置は、累積運転時間演算手段１３で累積運転時間をカウントし、累積運転時間が短い空気調和機からサイクリックにデマンド電力が目標デマンド電力になるように所定時間発停あるいは能力制御するものである。したがって特定の空気調和機に能力制御が集中することを防止することができるため、可動部を含む電気部品６（６Ａ、・・・、６ｎ）の消耗を低減することができる。
【００３４】
（実施の形態２）
図２は、本発明の第２の実施の形態における遠隔制御装置１のブロック図を示すものである。図２において、実施の形態１で説明した部分については同じ符号を用い説明を省略する。
【００３５】
累積サーモＯＮ時間演算手段１８は、運転状態検出手段１２で検出した複数台の空気調和機２（２Ａ、・・・、２ｎ）の運転状態を監視し、サーモＯＮ（圧縮機運転）の場合に時間をカウントする。
【００３６】
以上のように構成された遠隔制御装置は、累積サーモＯＮ時間演算手段１８で累積サーモＯＮ時間をカウントし、累積サーモＯＮ時間が短い空気調和機からサイクリックにデマンド電力が目標デマンド電力になるように所定時間発停あるいは能力制御するものである。
【００３７】
したがって特定の空気調和機の圧縮機４（４Ａ、・・・、４ｎ）に発停が集中することを防止することができるため、圧縮機４（４Ａ、・・・、４ｎ）の消耗を低減することができる。
【００３８】
（実施の形態３）
図３は、本発明の第３の実施の形態における遠隔制御装置１のブロック図を示すものである。
【００３９】
図３において、実施の形態１で説明した部分については同じ符号を用い説明を省略する。
【００４０】
異常回数演算手段１９は、運転状態検出手段１２で検出した複数台の空気調和機２（２Ａ、・・・、２ｎ）の運転状態を監視し、軽度の異常（設定不良等）を検出している場合に回数をカウントする。
【００４１】
以上のように構成された遠隔制御装置は、異常回数演算手段１９で複数台の空気調和機２（２Ａ、・・・、２ｎ）の異常をカウントし、異常回数が少ない空気調和機からサイクリックにデマンド電力が目標デマンド電力になるように所定時間発停あるいは能力制御するものである。
【００４２】
したがって複数台の空気調和機２（２Ａ、・・・、２ｎ）が軽度の異常を検知しているにもかかわらず発停を繰り返すことで生じる可動部を含む電気部品６（６Ａ、・・・、６ｎ）および圧縮機４（４Ａ、・・・、４ｎ）の損傷を低減することができる。
【００４３】
（実施の形態４）
図４は、本発明の第４の実施の形態における遠隔制御装置１のブロック図を示すものである。
【００４４】
図４において、実施の形態１で説明した部分については同じ符号を用い説明を省略する。
【００４５】
重度異常回数演算手段２０は、運転状態検出手段１２で検出した複数台の空気調和機２（２Ａ、・・・、２ｎ）の運転状態を監視し、重度の異常（圧縮機過電流、高圧カット等）を検出している場合に回数をカウントする。
【００４６】
目標異常回数入力手段２１は、回数異常を検出するために目標とする異常回数の値を入力する。
【００４７】
以上のように構成された遠隔制御装置は、重度異常回数演算手段２０がカウントした重度異常回数が目標異常回数入力手段２１で入力した値を超過した場合、能力制御の対象外とするものである。
【００４８】
したがって複数台の空気調和機２（２Ａ、・・・、２ｎ）が重度の異常を検知しているにもかかわらず発停を繰り返すことで生じる可動部を含む電気部品６（６Ａ、・・・、６ｎ）および圧縮機４（４Ａ、・・・、４ｎ）の損傷を低減することができる。
【００４９】
（実施の形態５）
図５は、本発明の第５の実施の形態における遠隔制御装置１のブロック図を示すものである。
【００５０】
図５において、実施の形態１で説明した部分については同じ符号を用い説明を省略する。
【００５１】
異常回数リセット手段２２は、異常回数演算手段１９がカウントしている異常回数を０にリセットする。
【００５２】
以上のように構成された遠隔制御装置は、複数台の空気調和機２（２Ａ、・・・、２ｎ）の異常回数を異常回数リセット手段２２によって０にリセットするものである。したがって修理および部品交換した複数台の空気調和機２（２Ａ、・・・、２ｎ）に対して能力制御が行われないことを防止することができる。
【００５３】
（実施の形態６）
図６は、本発明の第６の実施の形態における遠隔制御装置１のブロック図を示すものである。
【００５４】
図６において、実施の形態１で説明した部分については同じ符号を用い説明を省略する。
【００５５】
優先度設定入力手段２３は、複数台の空気調和機２（２Ａ、・・・、２ｎ）の優先度を設定する（例：高、中、低、対象外）。
【００５６】
以上のように構成された遠隔制御装置は、優先度設定入力手段２３で設定された優先度によって能力制御する時間（例：３分、４分、５分）を可変するものである。したがってそれぞれの使用状況や条件に適した複数台の空気調和機２（２Ａ、・・・、２ｎ）の使用電
力量低減をすることができる。
【００５７】
（実施の形態７）
図７は、本発明の第７の実施の形態における遠隔制御装置１のブロック図を示すものである。
【００５８】
図７において、実施の形態１で説明した部分については同じ符号を用い説明を省略する。
【００５９】
累積運転警報時間入力手段２４は、累積運転時間超過を検出するために目標とする累積運転警報時間の値を入力する。
【００６０】
累積運転時間異常通知手段２５は、累積運転時間超過を検出した場合に累積運転時間超過であることを通知する（例：累積運転時間超過メッセージ表示、ボタンの赤点滅表示、警報音出力）。
【００６１】
以上のように構成された遠隔制御装置は、累積運転時間演算手段１３がカウントしている値が累積運転警報時間入力手段２４で入力した値を超過した場合に累積運転時間異常通知手段２５で累積運転時間超過であることを通知する。
【００６２】
したがって室内機５（５Ａ、・・・、５ｎ）の定期点検（部品点検、部品交換、熱交換器洗浄、フィルター清掃）を促すことができ、複数台の空気調和機２（２Ａ、・・・、２ｎ）の能力低下および未然の故障を防止することができる。
【００６３】
（実施の形態８）
図８は、本発明の第８の実施の形態における遠隔制御装置１のブロック図を示すものである。
【００６４】
図８において、実施の形態１で説明した部分については同じ符号を用い説明を省略する。
【００６５】
累積サーモＯＮ警報時間入力手段２６は、累積サーモＯＮ時間超過を検出するために目標とする累積サーモＯＮ警報時間の値を入力する。
【００６６】
累積サーモＯＮ時間異常通知手段２７は、累積サーモＯＮ時間超過を検出した場合に累積サーモＯＮ時間超過であることを通知する（例：累積サーモＯＮ時間超過メッセージ表示、ボタンの赤点滅表示、警報音出力）。
【００６７】
以上のように構成された遠隔制御装置は、累積サーモＯＮ時間演算手段１８がカウントしている値が累積サーモＯＮ警報時間入力手段２６で入力した値を超過した場合に累積サーモＯＮ時間異常通知手段２７で累積サーモＯＮ時間超過であることを通知する。したがって室外機３（３Ａ、・・・、３ｎ）および圧縮機４（４Ａ、・・・、４ｎ）の定期点検（部品点検、部品交換、熱交換器洗浄）を促すことができ、複数台の空気調和機２（２Ａ、・・・、２ｎ）の能力低下および未然の故障を防止することができる。
【００６８】
（実施の形態９）
図９は、本発明の第９の実施の形態における遠隔制御装置１のブロック図を示すものである。
【００６９】
図９において、実施の形態１で説明した部分については同じ符号を用い説明を省略する
。
【００７０】
冷房サイクル運転時間演算手段２８は、運転状態検出手段１２で検出した複数台の空気調和機２（２Ａ、・・・、２ｎ）の運転状態を監視し、特定の運転モード（冷房モード、除湿モード）の場合に運転時間をカウントする。
【００７１】
冷房サイクル運転警報時間入力手段２９は、冷房サイクル運転時間超過を検出するために目標とする冷房サイクル運転警報時間の値を入力する。
【００７２】
冷房サイクル運転時間異常通知手段３０は、冷房サイクル運転時間超過を検出した場合に冷房サイクル運転時間超過であることを通知する（例：冷房サイクル運転時間超過メッセージ表示、ボタンの赤点滅表示、警報音出力）。
【００７３】
以上のように構成された遠隔制御装置は、冷房サイクル運転時間演算手段２８がカウントしている値が冷房サイクル運転警報時間入力手段２９で入力した値を超過した場合に冷房サイクル運転時間異常通知手段３０で冷房サイクル運転時間超過であることを通知する。
【００７４】
したがって電気部品６（６Ａ、・・・、６ｎ）の特にドレンポンプの定期点検（部品点検、部品交換）を促すことができ、複数台の空気調和機２（２Ａ、・・・、２ｎ）の未然の故障および水漏れを防止することができる。
【００７５】
（実施の形態１０）
図１０は、本発明の第１０の実施の形態における遠隔制御装置１のブロック図を示すものである。
【００７６】
図１０において、実施の形態１で説明した部分については同じ符号を用い説明を省略する。
【００７７】
外部通報手段３１は、累積運転時間超過を検出した場合に累積運転時間超過であることを外部に電子メール等で出力する。
【００７８】
以上のように構成された遠隔制御装置は、累積運転時間演算手段１３でカウントした値が累積運転警報時間入力手段２４で入力された値を超過した場合に累積運転時間超過であることを外部（販売店、電気工事店、サービス会社）に累積運転時間異常を電子メール等で出力する。したがって迅速な複数台の空気調和機２（２Ａ、・・・、２ｎ）の定期点検および部品交換等の対応を行うことができる。
【産業上の利用可能性】
【００７９】
以上のように、本発明にかかる遠隔制御装置は、累積運転時間の短い順番でデマンド電力が目標デマンド電力になるように複数台の空気調和機２（２Ａ、・・・、２ｎ）を所定時間発停あるいは能力制御することで特定の空気調和機に制御が集中することによる可動部を含む電気部品の消耗を低減することができるので、照明設備や給排気ファン等の一般設備機器を対象としたデマンド制御にも適用できる。
【図面の簡単な説明】
【００８０】
【図１】本発明の実施の形態１における遠隔制御装置のブロック図
【図２】本発明の実施の形態２における遠隔制御装置のブロック図
【図３】本発明の実施の形態３における遠隔制御装置のブロック図
【図４】本発明の実施の形態４における遠隔制御装置のブロック図
【図５】本発明の実施の形態５における遠隔制御装置のブロック図
【図６】本発明の実施の形態６における遠隔制御装置のブロック図
【図７】本発明の実施の形態７における遠隔制御装置のブロック図
【図８】本発明の実施の形態８における遠隔制御装置のブロック図
【図９】本発明の実施の形態９における遠隔制御装置のブロック図
【図１０】本発明の実施の形態１０における遠隔制御装置のブロック図
【図１１】従来の遠隔制御装置のブロック図
【符号の説明】
【００８１】
１  遠隔制御装置
２Ａ、２ｎ  空気調和機
３Ａ、３ｎ  室外機
４Ａ、４ｎ  圧縮機
５Ａ、５ｎ  室内機
６Ａ、６ｎ  電気部品
７  信号線
８  パルス信号検出手段
９  デマンド電力演算手段
１０  目標デマンド電力入力手段
１１  能力制御設定入力手段
１２  運転状態検出手段
１３  累積運転時間演算手段
１４  能力制御順位決定手段
１５  電力調整手段
１６  電力取引用計器
１７  計量パルス信号計測用信号線
１８  累積サーモＯＮ時間演算手段
１９  異常回数演算手段
２０  重度異常回数演算手段
２１  目標異常回数入力手段
２２  異常回数リセット手段
２３  優先度設定入力手段
２４  累積運転警報時間入力手段
２５  累積運転時間異常通知手段
２６  累積サーモＯＮ警報時間入力手段
２７  累積サーモＯＮ時間異常通知手段
２８  冷房サイクル運転時間演算手段
２９  冷房サイクル運転警報時間入力手段
３０  冷房サイクル運転時間異常通知手段
３１  外部通報手段
【図１】
2006132796.tif 000003
【図２】
2006132796.tif 000004
【図３】
2006132796.tif 000005
【図４】
2006132796.tif 000006
【図５】
2006132796.tif 000007
【図６】
2006132796.tif 000008
【図７】
2006132796.tif 000009
【図８】
2006132796.tif 000010
【図９】
2006132796.tif 000011
【図１０】
2006132796.tif 000012
【図１１】
2006132796.tif 000013